(57)【要約】【課題】スクロールされているアイテムを容易に把握可能な表示装置等を提供する。【解決手段】表示装置１００は、所定の順序で並べられた、説明文を含むアイテムを、画面にスクロール可能に表示する。検知部１１２は、画面におけるスクロールを検知する。変更部１１３は、検知されたスクロールが所定の条件を満たすと、説明文の一部を削除し、説明文の残り部分の文字サイズを増加させることにより、アイテムの表示態様を変更する。【選択図】図３
2018205672.tif 000002
【特許請求の範囲】
【請求項１】
所定の順序で並べられた、説明文を含むアイテムを、画面にスクロール可能に表示する表示装置であって、
前記画面におけるスクロールを検知する検知部と、
前記検知されたスクロールが所定の条件を満たすと、前記説明文の一部を削除し、前記説明文の残り部分の文字サイズを増加させることにより、前記アイテムの表示態様を変更する変更部と、
を備える表示装置。
【請求項２】
所定の順序で並べられた、説明文を含むアイテムを、画面にスクロール可能に表示する表示装置であって、
前記画面におけるスクロールを検知する検知部と、
前記検知されたスクロールが所定の条件を満たすと、前記説明文の一部又は全部を削除し、前記アイテムに画像を追加することにより、前記アイテムの表示態様を変更する変更部と、
を備える表示装置。
【請求項３】
所定の順序で並べられた、画像と説明文とを含むアイテムを、画面にスクロール可能に表示する表示装置であって、
前記画面におけるスクロールを検知する検知部と、
前記検知されたスクロールが所定の条件を満たすと、前記アイテムから前記説明文の一部または全部を削除し、前記アイテムをスクロール方向と、当該スクロール方向と直交する方向とに並べることにより、前記アイテムの表示態様を変更する変更部と、
を備える表示装置。
【請求項４】
前記変更部は、
前記アイテムから前記説明文の一部を削除する場合、前記アイテムを前記スクロール方向と直交する方向に第１の所定の個数並べ、
前記アイテムから前記説明文の全部を削除する場合、前記アイテムを前記スクロール方向と直交する方向に、前記第１の所定の個数よりも大きい第２の所定の個数並べる、
請求項３に記載の表示装置。
【請求項５】
前記変更部は、前記説明文の一部を削除する場合、前記説明分のうち、他の前記アイテムに含まれる説明文に出現する頻度が閾値よりも高い部分を前記説明文から削除する、
請求項１から３のいずれか１項に記載の表示装置。
【請求項６】
前記変更部は、前記検知されたスクロールが所定の条件を満たすと、その後前記画面に表示すべき前記アイテムの表示態様を変更し、前記画面に現在表示中のアイテムの表示態様を、前記画面から出るまで維持する、
請求項１から３のいずれか１項に記載の表示装置。
【請求項７】
前記変更部は、前記検知されたスクロールの速度が所定の期間中に所定の速度からゼロに達したとき、前記画面に現在表示中の前記アイテムの表示態様を変更前の表示態様に戻す、
請求項１から３のいずれか１項に記載の表示装置。
【請求項８】
前記変更部は、前記検知されたスクロールの速度が閾値より小さくなったとき、その後前記画面に表示すべき前記アイテムの表示態様を、変更前の表示態様に戻し、前記画面に現在表示中のアイテムの表示態様を、前記画面から出るまで維持する、
請求項１から３のいずれか１項に記載の表示装置。
【請求項９】
前記変更部は、
前記検知されたスクロールが前記所定の条件を満たすとき、前記アイテムに含まれる情報のうち、表示すべき当該情報の一部を取得し、
前記検知されたスクロールが前記所定の条件を満たさず、かつ前記情報の一部を取得していないとき、前記情報の全部を取得し、
前記検知されたスクロールが前記所定の条件を満たさず、かつ前記情報の一部をすでに取得し、前記情報の全部を取得していないとき、前記情報の一部を除く前記情報の残り部分を取得する、
請求項１から３のいずれか１項に記載の表示装置。
【請求項１０】
所定の順序で並べられた、説明文を含むアイテムを、画面にスクロール可能に表示する表示装置が実行する表示方法であって、
前記表示装置が、前記画面におけるスクロールを検知する検知ステップと、
前記表示装置が、前記検知されたスクロールが所定の条件を満たすと、前記説明文の一部を削除し、前記説明文の残り部分の文字サイズを増加させることにより、前記アイテムの表示態様を変更する変更ステップと、
を備える表示方法。
【請求項１１】
所定の順序で並べられた、説明文を含むアイテムを、画面にスクロール可能に表示する表示装置が実行する表示方法であって、
前記表示装置が、前記画面におけるスクロールを検知する検知ステップと、
前記表示装置が、前記検知されたスクロールが所定の条件を満たすと、前記説明文の一部又は全部を削除し、前記アイテムに画像を追加することにより、前記アイテムの表示態様を変更する変更ステップと、
を備える表示方法。
【請求項１２】
所定の順序で並べられた、画像と説明文とを含むアイテムを、画面にスクロール可能に表示する表示装置が実行する表示方法であって、
前記表示装置が、前記画面におけるスクロールを検知する検知ステップ、
前記表示装置が、前記検知されたスクロールが所定の条件を満たすと、前記アイテムから前記説明文の一部または全部を削除し、前記アイテムをスクロール方向と、当該スクロール方向と直交する方向とに並べることにより、前記アイテムの表示態様を変更する変更ステップと、
を備える表示方法。
【請求項１３】
所定の順序で並べられた、説明文を含むアイテムを、画面にスクロール可能に表示するコンピュータを、
前記画面におけるスクロールを検知する検知手段、
前記検知されたスクロールが所定の条件を満たすと、前記説明文の一部を削除し、前記説明文の残り部分の文字サイズを増加させることにより、前記アイテムの表示態様を変更する変更手段、
として機能させるプログラム。
【請求項１４】
所定の順序で並べられた、説明文を含むアイテムを、画面にスクロール可能に表示するコンピュータを、
前記画面におけるスクロールを検知する検知手段、
前記検知されたスクロールが所定の条件を満たすと、前記説明文の一部又は全部を削除し、前記アイテムに画像を追加することにより、前記アイテムの表示態様を変更する変更手段、
として機能させるプログラム。
【請求項１５】
所定の順序で並べられた、画像と説明文とを含むアイテムを、画面にスクロール可能に表示するコンピュータを、
前記画面におけるスクロールを検知する検知手段、
前記検知されたスクロールが所定の条件を満たすと、前記アイテムから前記説明文の一部または全部を削除し、前記アイテムをスクロール方向と、当該スクロール方向と直交する方向とに並べることにより、前記アイテムの表示態様を変更する変更手段、
として機能させるプログラム。
【発明の詳細な説明】
【技術分野】
【０００１】
本発明は、表示装置、表示方法、ならびに、プログラムに関する。
【背景技術】
【０００２】
従来から、複数のアイテムが上下方向に並んで表示される画面をスクロールした際に、そのスクロール速度に応じて、各アイテムの上下方向の幅を変化させ、ユーザが注目する領域内のアイテムを拡大して表示することにより、アイテムを容易に視認可能にする技術がある（例えば、特許文献１参照）。
【先行技術文献】
【特許文献】
【０００３】
【特許文献１】特開２０１３−７７２３９号公報
【発明の概要】
【発明が解決しようとする課題】
【０００４】
しかし、アイテムがそのアイテムの説明文といった、比較的長い文を含む場合、スクロール方向のアイテムの幅を変化させても、スクロール速度が速いと、ユーザはアイテムの説明文を読むことができない可能性がある。従って、画面においてスクロールされているアイテムについて、より容易に把握可能な表示への要望がある。
【０００５】
本発明は、スクロールされているアイテムを容易に把握可能な表示装置、表示方法、ならびに、プログラムを提供することを目的とする。
【課題を解決するための手段】
【０００６】
本発明の第１の観点に係る表示装置は、
所定の順序で並べられた、説明文を含むアイテムを、画面にスクロール可能に表示する表示装置であって、
前記画面におけるスクロールを検知する検知部と、
前記検知されたスクロールが所定の条件を満たすと、前記説明文の一部を削除し、前記説明文の残り部分の文字サイズを増加させることにより、前記アイテムの表示態様を変更する変更部と、
を備えることを特徴とする。
【０００７】
本発明の第２の観点に係る表示装置は、
所定の順序で並べられた、説明文を含むアイテムを、画面にスクロール可能に表示する表示装置であって、
前記画面におけるスクロールを検知する検知部と、
前記検知されたスクロールが所定の条件を満たすと、前記説明文の一部又は全部を削除し、前記アイテムに画像を追加することにより、前記アイテムの表示態様を変更する変更部と、
を備えることを特徴とする。
【０００８】
本発明の第３の観点に係る表示装置は、
所定の順序で並べられた、画像と説明文とを含むアイテムを、画面にスクロール可能に表示する表示装置であって、
前記画面におけるスクロールを検知する検知部と、
前記検知されたスクロールが所定の条件を満たすと、前記アイテムから前記説明文の一部または全部を削除し、前記アイテムをスクロール方向と、当該スクロール方向と直交する方向とに並べることにより、前記アイテムの表示態様を変更する変更部と、
を備えることを特徴とする。
【０００９】
また、上記観点に係る表示装置において、
前記変更部は、
前記アイテムから前記説明文の一部を削除する場合、前記アイテムを前記スクロール方向と直交する方向に第１の所定の個数並べ、
前記アイテムから前記説明文の全部を削除する場合、前記アイテムを前記スクロール方向と直交する方向に、前記第１の所定の個数よりも大きい第２の所定の個数並べてもよい。
【００１０】
また、上記観点に係る表示装置において、
前記変更部は、前記説明文の一部を削除する場合、前記説明分のうち、他の前記アイテムに含まれる説明文に出現する頻度が閾値よりも高い部分を前記説明文から削除してもよい。
【００１１】
また、上記観点に係る表示装置において、
前記変更部は、前記検知されたスクロールが所定の条件を満たすと、その後前記画面に表示すべき前記アイテムの表示態様を変更し、前記画面に現在表示中のアイテムの表示態様を、前記画面から出るまで維持してもよい。
【００１２】
また、上記観点に係る表示装置において、
前記変更部は、前記検知されたスクロールの速度が所定の期間中に所定の速度からゼロに達したとき、前記画面に現在表示中の前記アイテムの表示態様を変更前の表示態様に戻してもよい。
【００１３】
また、上記観点に係る表示装置において、
前記変更部は、前記検知されたスクロールの速度が閾値より小さくなったとき、その後前記画面に表示すべき前記アイテムの表示態様を、変更前の表示態様に戻し、前記画面に現在表示中のアイテムの表示態様を、前記画面から出るまで維持してもよい。
【００１４】
また、上記観点に係る表示装置において、
前記変更部は、
前記検知されたスクロールが前記所定の条件を満たすとき、前記アイテムに含まれる情報のうち、表示すべき当該情報の一部を取得し、
前記検知されたスクロールが前記所定の条件を満たさず、かつ前記情報の一部を取得していないとき、前記情報の全部を取得し、
前記検知されたスクロールが前記所定の条件を満たさず、かつ前記情報の一部をすでに取得し、前記情報の全部を取得していないとき、前記情報の一部を除く前記情報の残り部分を取得してもよい。
【００１５】
本発明の第４の観点に係る表示方法は、
所定の順序で並べられた、説明文を含むアイテムを、画面にスクロール可能に表示する表示装置が実行する表示方法であって、
前記表示装置が、前記画面におけるスクロールを検知する検知ステップと、
前記表示装置が、前記検知されたスクロールが所定の条件を満たすと、前記説明文の一部を削除し、前記説明文の残り部分の文字サイズを増加させることにより、前記アイテムの表示態様を変更する変更ステップと、
を備えることを特徴とする。
【００１６】
本発明の第５の観点に係る表示方法は、
所定の順序で並べられた、説明文を含むアイテムを、画面にスクロール可能に表示する表示装置が実行する表示方法であって、
前記表示装置が、前記画面におけるスクロールを検知する検知ステップと、
前記表示装置が、前記検知されたスクロールが所定の条件を満たすと、前記説明文の一部又は全部を削除し、前記アイテムに画像を追加することにより、前記アイテムの表示態様を変更する変更ステップと、
を備えることを特徴とする。
【００１７】
本発明の第６の観点に係る表示方法は、
所定の順序で並べられた、画像と説明文とを含むアイテムを、画面にスクロール可能に表示する表示装置が実行する表示方法であって、
前記表示装置が、前記画面におけるスクロールを検知する検知ステップ、
前記表示装置が、前記検知されたスクロールが所定の条件を満たすと、前記アイテムから前記説明文の一部または全部を削除し、前記アイテムをスクロール方向と、当該スクロール方向と直交する方向とに並べることにより、前記アイテムの表示態様を変更する変更ステップと、
を備えることを特徴とする。
【００１８】
本発明の第７の観点に係るプログラムは、
所定の順序で並べられた、説明文を含むアイテムを、画面にスクロール可能に表示するコンピュータを、
前記画面におけるスクロールを検知する検知手段、
前記検知されたスクロールが所定の条件を満たすと、前記説明文の一部を削除し、前記説明文の残り部分の文字サイズを増加させることにより、前記アイテムの表示態様を変更する変更手段、
として機能させることを特徴とする。
【００１９】
本発明の第８の観点に係るプログラムは、
所定の順序で並べられた、説明文を含むアイテムを、画面にスクロール可能に表示するコンピュータを、
前記画面におけるスクロールを検知する検知手段、
前記検知されたスクロールが所定の条件を満たすと、前記説明文の一部又は全部を削除し、前記アイテムに画像を追加することにより、前記アイテムの表示態様を変更する変更手段、
として機能させることを特徴とする。
【００２０】
本発明の第９の観点に係るプログラムは、
所定の順序で並べられた、画像と説明文とを含むアイテムを、画面にスクロール可能に表示するコンピュータを、
前記画面におけるスクロールを検知する検知手段、
前記検知されたスクロールが所定の条件を満たすと、前記アイテムから前記説明文の一部または全部を削除し、前記アイテムをスクロール方向と、当該スクロール方向と直交する方向とに並べることにより、前記アイテムの表示態様を変更する変更手段、
として機能させることを特徴とする。
【００２１】
なお、上記プログラムは、当該プログラムを実行するコンピュータとは独立して配布・販売することができる。さらに、上記プログラムを記録する情報記録媒体は、非一時的な（non-transitory）情報記録媒体であり、コンピュータとは独立して配布・販売することができる。ここで、非一時的な情報記録媒体とは、有形な（tangible）情報記録媒体をいう。非一時的な情報記録媒体は、例えば、コンパクトディスク、フレキシブルディスク、ハードディスク、磁気ディスク、ディジタルビデオディスク、磁気テープ、半導体メモリである。また、一時的な（transitory）情報記録媒体とは、伝送媒体（伝搬信号）それ自体を示す。一時的な記録媒体は、例えば、電気信号、光信号、電磁波である。なお、一時的な（temporary）記憶領域とは、データやプログラムを一時的に記憶するための領域であり、例えばＲＡＭ（Random Access Memory）といった揮発性メモリである。
【発明の効果】
【００２２】
本発明によれば、スクロールされているアイテムを容易に把握することができる。
【図面の簡単な説明】
【００２３】
【図１】本発明の実施形態１に係る表示システムの構成を示す図である。
【図２】実施形態１に係る表示装置のハードウェア構成を示す概略ブロック図である。
【図３】実施形態１に係る表示装置の機能構成を示す概略ブロック図である。
【図４】商品リストページの一例を示す図である。
【図５】（ａ）は初期状態の表示態様における商品リストページの表示例を示す図、（ｂ）は画面において検知されたスクロールが、所定の条件を満たしていない場合の商品リストページの表示例を示す図、（ｃ）及び（ｄ）は（ｂ）に示す状態の後に画面において検知されたスクロールが、所定の条件を満たした場合の商品リストページの表示例を示す図である。
【図６】本発明の実施形態１に係る表示装置により実行される表示処理の流れを表すフローチャートである。
【図７】実施形態２に係る表示装置の機能構成を示す概略ブロック図である。
【図８】（ａ）及び（ｂ）は図５（ｂ）に示す状態の後に画面において検知されたスクロールが、所定の条件を満たした場合の実施形態２に係る商品リストページの表示例を示す図である。
【図９】本発明の実施形態２に係る表示装置により実行される表示処理の流れを表すフローチャートである。
【図１０】実施形態３に係る表示装置の機能構成を示す概略ブロック図である。
【図１１】（ａ）〜（ｄ）は図５（ｂ）に示す状態の後に画面において検知されたスクロールが、所定の条件を満たした場合の実施形態３に係る商品リストページの表示例を示す図である。
【図１２】本発明の実施形態３に係る表示装置により実行される表示処理の流れを表すフローチャートである。
【図１３】本発明の実施形態３に係る表示装置により実行される第１表示処理の流れを表すフローチャートである。
【図１４】本発明の実施形態３に係る表示装置により実行される第２表示処理の流れを表すフローチャートである。
【図１５】（ａ）及び（ｂ）は本発明の変形例に係る商品リストページの表示例を示す図である。
【図１６】本発明の変形例に係る商品リストページの表示例を示す図である。
【図１７】（ａ）及び（ｂ）は本発明の変形例に係る商品リストページの表示例を示す図である。
【図１８】（ａ）及び（ｂ）は本発明の変形例に係る商品リストページの表示例を示す図である。
【発明を実施するための形態】
【００２４】
以下に本発明の実施形態を説明する。なお、本実施形態は説明のためのものであり、本願発明の範囲を制限するものではない。従って、当業者であればこれらの各要素若しくは全要素をこれと均等なものに置換した実施形態を採用することが可能であるが、これらの実施形態も本発明の範囲に含まれる。また、本願発明の実施形態を図面を参照して説明するにあたり、図中同一又は相当する部分には同一符号を付す。
【００２５】
（実施形態１）
図１は、本発明の実施形態１に係る表示システム１の構成を示す。表示システム１は、インターネット３００を介して販売者と購入者との間で商品取引が行われる市場（電子市場）において利用される、商品を販売するためのウェブページ等のコンテンツを表示するシステムである。図１に示すように、表示システム１は、表示装置１００と、コンテンツ提供装置２００とから構成され、各装置はインターネット３００を介して通信可能に接続されている。なお、図１中では、１台の表示装置１００と１台のコンテンツ提供装置２００とが例示されているが、本表示システム１には、任意の数の表示装置１００及びコンテンツ提供装置２００が適用可能である。
【００２６】
表示装置１００は、コンテンツ提供装置２００により提供されたコンテンツを画面に表示する装置である。具体的には、表示装置１００は、電子市場にて商品を購入するユーザ（購入者）が操作する、スマートフォンやタブレット型端末等のコンピュータである。表示装置１００は、ユーザの要求に応じて、コンテンツ提供装置２００から、コンテンツを取得し、表示する。また、本実施形態において、表示装置１００は、コンテンツに含まれるアイテムを、所定の順序で並べて、画面にスクロール可能に表示する。
【００２７】
コンテンツ提供装置２００は、販売者または電子市場の運営者により作成されたコンテンツを提供する装置である。具体的には、コンテンツ提供装置２００は、例えば、販売者が販売する商品に関する情報を含むウェブページ（商品ページ）をコンテンツとしてインターネット３００を介して表示装置１００に提供するウェブサーバから構成される。
【００２８】
次に、表示装置１００の構成について詳細に説明する。
【００２９】
図２は、表示装置１００のハードウェア構成を示す概略ブロック図である。図２に示すように、表示装置１００は、制御部１０１と、ＲＯＭ（Read Only Memory）１０２と、ＲＡＭ１０３と、表示部１０４と、通信部１０５と、タッチパネル部１０６とから構成され、各部は、バス１０７により接続されている。
【００３０】
制御部１０１は、例えばＣＰＵ（Central Processing Unit）から構成され、表示装置１００全体を制御する。
【００３１】
ＲＯＭ１０２は、制御部１０１が表示装置１００全体を制御するためのプログラムや各種データを格納する不揮発性メモリである。
【００３２】
ＲＡＭ１０３は、制御部１０１が生成した情報や、その情報の生成に必要なデータを一時的に格納するための揮発性メモリである。
【００３３】
表示部１０４は、ＬＣＤ（Liquid Crystal Display）等の画面やバックライト等を備える表示装置から構成される。表示部１０４は、制御部１０１による制御の下、例えば、制御部１０１から出力されたデータを画面に表示する。
【００３４】
通信部１０５は、表示装置１００をインターネット３００に接続するための通信インターフェースから構成される。
【００３５】
タッチパネル部１０６は、表示部１０４の上に重ねて配置され、ユーザからのタッチ操作を受け付ける。そして、タッチパネル部１０６は、受け付けたタッチ操作に対応する信号を制御部１０１に出力する。
【００３６】
次に、表示装置１００の機能構成について説明する。
【００３７】
図３は、表示装置１００の機能構成を示す概略ブロック図である。図３に示すように、表示装置１００は、受付部１１１、検知部１１２、変更部１１３、及び提示部１１４として機能する。
【００３８】
受付部１１１は、所定の順序で並べられたアイテムを含むコンテンツを受け付ける。具体的には、受付部１１１は、コンテンツ提供装置２００から、例えば、コンテンツとして商品のリストを含む商品リストページを受信する。なお、本実施形態では、商品リストページが、ＨＴＭＬ（Hypertext Markup Language）を用いて記述される文書である例について説明するが、ＨＴＭＬ以外のマークアップ言語で記述されていてもよい。
【００３９】
図４に、受付部１１１により受け付けられる商品リストページの一例を示す。図４に示す商品リストページ４００は、電子市場で販売される複数の商品に関する情報を含むウェブページである。商品リストページ４００は、Ｎ個（Ｎは任意の自然数）の商品について、商品に関する情報を含むアイテム４１０＿１〜４１０＿Ｎを有する。アイテム４１０＿１〜４１０＿Ｎは、商品に関する情報として、商品画像４１１＿１〜４１１＿Ｎと、商品説明文４１２＿１〜４１２＿Ｎとから構成される。アイテム４１０＿１〜４１０＿Ｎは、商品リストページ４００において、所定の順序で並べて表示される。例えば、商品リストページ４００が、商品の検索結果として表示されるページである場合、アイテム４１０＿１〜４１０＿Ｎは、所定の順序としてその検索結果のランク順に、並べられる。そして、ユーザが、アイテム４１０＿１〜４１０＿Ｎを選択すると、選択されたアイテム４１０＿１〜４１０＿Ｎの詳細が説明された商品ページに移動する。
【００４０】
本実施形態において、制御部１０１および通信部１０５が協働することにより、受付部１１１として機能する。
【００４１】
検知部１１２は、表示部１０４の画面におけるスクロールを検知する。例えば、検知部１１２は、提示部１１４により表示部１０４の画面に表示されているコンテンツの表示領域が移動したとき、画面におけるコンテンツのスクロールを検知する。具体的には、検知部１１２は、提示部１１４により図４に示す商品リストページ４００が図５（ａ）に示すように表示部１０４の画面５００に表示されているとき、商品リストページ４００の表示領域は、アイテム４１０＿１〜４１０＿５を含む領域に位置する。その後、商品リストページ４００の表示領域が図５（ｂ）に示すようにアイテム４１０＿ｋ〜４１０＿ｋ＋４を含む領域に移動したとき、検知部１１２は、画面５００における商品リストページ４００のスクロールを検知する。
【００４２】
本実施形態において、制御部１０１が検知部１１２として機能する。
【００４３】
変更部１１３は、検知部１１２により検知されたスクロールが所定の条件を満たすと、表示部１０４の画面にアイテムとともに表示されるアイテムの商品説明文の一部を削除し、商品説明文の残り部分の文字サイズを増加させることにより、アイテムの表示態様を変更する。
【００４４】
所定の条件は、例えば、検知されたスクロールの速度が閾値以上になったという条件である。具体的には、変更部１１３は、コンテンツの表示領域の座標位置の変化量を検出し、単位時間当たりの座標位置の変化量を算出することでスクロールの速度を検出する。そして、変更部１１３は、検出されたスクロールの速度が所定の閾値以上である場合、検知されたスクロールが所定の条件を満たすと判定する。
【００４５】
また、所定の条件は、所定時間以上、同じ方向へのスクロールが継続した、または、所定時間内にユーザから同じ方向へスクロールを指示するタッチ操作が所定回数以上あった、という条件であってもよい。具体的には、変更部１１３は、提示部１１４により表示部１０４の画面に表示されているコンテンツの表示領域が所定時間以上、同じ方向へ移動した場合、検知されたスクロールが所定の条件を満たすと判定する。または、変更部１１３は、タッチパネル部１０６がタッチ操作として、所定時間内に同じ方向へのフリックまたはスライドを所定回数以上受け付けたと判定した場合、検知されたスクロールが所定の条件を満たすと判定する。一般的に、所望するアイテムの位置にたどり着くために他のアイテムに含まれる情報を飛ばし読みするユーザは、スクロールのための操作を繰り返し入力することが多い。従って、上記のように検知されたスクロールの継続を所定の条件とすることにより、ユーザが所望するアイテムの位置に容易にたどり着くことが可能な態様でアイテムを表示することができる。
【００４６】
そして、変更部１１３は、スクロールが所定の条件を満たす場合、その後画面５００に出現すべきアイテムの商品説明文の一部を削除する。具体的には、変更部１１３は、他のアイテムから見てありふれた部分を説明文から削除する。例えば、変更部１１３は、図４に示す商品リストページ４００に含まれるアイテム４１０＿１〜４１０＿Ｎの商品説明文４１２＿１〜４１２＿Ｎにおいて、「ビール」、「350ml」、「500ml」、「［送料無料］」という文言の出現頻度が所定の閾値よりも高いと判定した場合、これらの文言をありふれた部分として、スクロールが条件を満たすと判定した後に画面５００に出現すべきアイテム４１０＿１〜４１０＿Ｎの商品説明文４１２＿１〜４１２＿Ｎから削除する。さらに、変更部１１３は、ありふれた部分を削除した後の商品説明文４１２＿１〜４１２＿Ｎの先頭から所定の文字数以降の部分を省略する。例えば、変更部１１３は、省略した部分に「...」という記号を追加することにより、その後の商品説明文４１２＿１〜４１２＿Ｎが省略されていることを表す。また、変更部１１３は、商品説明文４１２＿１〜４１２＿Ｎのうち、「xxxx円」といった金額の表記は省略せずに残しても良い。そして、変更部１１３は、商品説明文４１２＿１〜４１２＿Ｎの残り部分の文字サイズを所定の初期値から増加させる。
【００４７】
本実施形態において、制御部１０１が変更部１１３として機能する。
【００４８】
提示部１１４は、変更部１１３により変更された表示態様で、コンテンツを表示部１０４の画面に表示する。具体的には、まず、提示部１１４は、受付部１１１がコンテンツを受け付けると、そのコンテンツを初期状態の表示態様で表示部１０４の画面に表示する。そして、提示部１１４は、タッチパネル部１０６により受け付けられたタッチ操作に基づいて、画面に表示されるコンテンツの表示領域を制御する。例えば、提示部１１４は、タッチパネル部１０６がタッチ操作として、画面におけるスクロール可能な方向へのフリックまたはスライドを受け付けたと判定した場合、そのフリックまたはスライドの方向にコンテンツの表示領域を移動させることにより、コンテンツをスクロールさせる。ここで、フリックは、タッチパネル部１０６上に指を触れたまま、ある程度の距離だけ指を素早く移動させ、そのまま指をタッチパネル部１０６から離す操作である。また、スライドは、タッチパネル部１０６上に指を触れたまま、指を移動させる操作である。なお、提示部１１４は、ユーザがフリックを終了して、タッチパネル部１０６から指を放すと、コンテンツがあたかも慣性でスクロールしているように、徐々に減速していくように画面描画を制御する。以下、このように、徐々に減速していくスクロールを慣性スクロールと呼ぶ。具体的には、提示部１１４は、タッチパネル部１０６がタッチ操作として、画面におけるスクロール可能な方向へのフリックを受け付けたと判定した場合、コンテンツのスクロールを開始し、フリック後の時間経過に伴い、スクロールの速度を徐々に減速させる。例えば、提示部１１４は、当該スクロールの速度を所定の摩擦係数に基づき減少させる。さらに、提示部１１４は、変更部１１３により表示態様が変更されると、変更された表示態様でコンテンツを表示する。
【００４９】
以下、提示部１１４が図４に示す商品リストページ４００をコンテンツとして表示部１０４の画面５００に表示する場合の表示例を図５（ａ）〜（ｄ）を用いて説明する。
【００５０】
図５（ａ）は、初期状態の表示態様における商品リストページ４００の表示例を示す。例えば、受付部１１１により商品リストページ４００が受け付けられた直後であって、画面５００におけるスクロールを検知していない場合、提示部１１４は、図５（ａ）に示すように、所定の順序における先頭のアイテム４１０＿１から、アイテム４１０＿５までを上下方向に並べて画面５００に表示する。このとき、提示部１１４は、アイテム４１０＿１〜４１０＿５を、商品説明文４１２＿１〜４１２＿５の全部が表示され、文字サイズが所定の初期値である表示態様（以下、初期状態の表示態様と呼ぶ）で表示する。
【００５１】
図５（ｂ）は、画面５００において検知されたスクロールが、所定の条件を満たしていない場合の商品リストページ４００の表示例を示す。図５（ａ）が表示された後、画面５００に表示されていない６番目以降のアイテム４１０＿６〜４１０＿Ｎを見るために、ユーザが、例えば、タッチパネル部１０６に対して画面５００の上方向のフリックを行うと、検知部１１２は画面５００における上方向のスクロールを検知する。そして、変更部１１３が、検知されたスクロールが、所定の条件を満たさないと判定した場合、提示部１１４は、図５（ｂ）に示すように、初期状態の表示態様でｋ番目のアイテム４１０＿ｋからアイテム４１０＿ｋ＋４を画面５００に表示する。
【００５２】
図５（ｃ）及び（ｄ）は、図５（ｂ）に示す状態の後に画面５００において検知されたスクロールが、所定の条件を満たした場合の商品リストページ４００の表示例を示す。変更部１１３が、図５（ｂ）が示す状態の直後に画面５００において検知されたスクロールが、所定の条件を満たすと判定した場合、その後画面５００に出現すべきアイテム４１０＿ｋ＋５〜４１０＿Ｎの商品説明文４１２＿ｋ＋５〜４１２＿Ｎから、「［送料無料］」、「ビール」、「350ml」、「500ml」といった文言をありふれた部分として削除し、先頭から所定の文字数以降を省略するとともに、文字サイズを初期値よりも大きくすることにより、商品説明文４１２＿ｋ＋５〜４１２＿Ｎの表示態様を変更する。そして、提示部１１４は、図５（ｂ）に示す状態から上にスクロールしてアイテム４１０＿ｋが画面５００から出ると、図５（ｃ）に示すように、初期状態の表示態様で４１０＿ｋ＋１〜４１０ｋ＋４を画面５００に表示し、変更された表示態様でアイテム４１０＿ｋ＋５を画面５００に表示する。さらに提示部１１４は、図５（ｃ）に示す状態から上にスクロールしてアイテム４１０＿ｋ＋１〜４１０＿ｋ＋４が画面５００から出ると、図５（ｄ）に示すように、変更された表示態様でアイテム４１０＿ｋ＋５〜４１０＿ｋ＋９を画面５００に表示する。
【００５３】
図５（ｄ）に示す状態の後、スクロールが検知されない、または検知されたスクロールが所定の条件を満たさないと判定すると、変更部１１３は、図５（ｄ）に示す表示態様から、図５（ａ）に示す初期状態の表示態様に変更する。そして、提示部１１４は、初期状態の表示態様でアイテム４１０＿１〜４１０＿Ｎを画面５００に表示する。
【００５４】
本実施形態において、制御部１０１および表示部１０４が協働することにより、提示部１１４として機能する。
【００５５】
次に、本発明の実施形態１に係る表示装置１００の動作について説明する。以下において説明する処理は、表示装置１００のハードウェア上でプログラムを実行することにより開始され、この処理によって表示装置１００が実現される。図６は、表示装置１００により実行される表示処理の流れを表すフローチャートである。本処理は、例えば、タッチパネル部１０６が、コンテンツ提供装置２００から商品リストページのロードを指示するタッチ操作を受け付けたことを契機として開始する。
【００５６】
本処理が開始されると、受付部１１１は、通信部１０５を介して、コンテンツ提供装置２００から商品リストページを受け付ける（ステップＳ１０１）。
【００５７】
提示部１１４は、ステップＳ１０１で受け付けた商品リストページを、その初期状態の表示態様で表示部１０４に表示する（ステップＳ１０２）。
【００５８】
検知部１１２は、表示部１０４の画面におけるスクロールを検知したか否か判定する（ステップＳ１０３）。スクロールを検知していないと判定した場合（ステップＳ１０３；Ｎｏ）、検知部１１２はスクロールを検知したと判定するまで待機する。
【００５９】
検知部１１２がスクロールを検知したと判定した場合（ステップＳ１０３；Ｙｅｓ）、変更部１１３は、ステップＳ１０３において検知されたスクロールが、所定の条件を満たすか否かを判定する（ステップＳ１０４）。スクロールが、所定の条件を満たさないと判定した場合（ステップＳ１０４；Ｎｏ）、ステップＳ１０２に戻る。
【００６０】
スクロールが、所定の条件を満たすと判定した場合（ステップＳ１０４；Ｙｅｓ）、変更部１１３は、商品リストページに含まれる商品説明文からありふれた部分を削除し、先頭から所定の文字数以降を省略するとともに、文字サイズを初期値から増加させて、初期状態から表示態様を変更する（ステップＳ１０５）。
【００６１】
そして、提示部１１４は、ステップＳ１０５において変更された表示態様で商品リストページを表示部１０４の画面に表示する（ステップＳ１０６）。そして、ステップＳ１０３に戻って上述した処理を繰り返し実行する。
【００６２】
以上説明したように、本発明の実施形態１に係る表示装置１００は、画面におけるスクロールが所定の条件を満たすと、アイテムに含まれる商品説明文の一部を削除し、残り部分の文字サイズを増加させる。一般的に、画面におけるスクロールの速度が上昇した場合、単位時間当たりに表示されるアイテムの数が増加することにより、画面に表示される情報量が増加する。また、スクロールの速度が上昇した場合、残像現象により、文字が小さく長い文章を読むことが困難になる。しかし、表示装置１００は、画面におけるスクロールの速度が上昇した場合に、アイテムに含まれる商品説明文のうち、ありふれた部分を削除し、それ以外の部分、すなわち重要な部分を残すことにより、アイテム当たりの情報量を削減するとともに、商品説明文の残り部分の文字を大きくすることにより、アイテムを判読可能な状態で表示する。従って、早い速度でスクロールをしたとしても、不要な表示を抑制しつつ、提供される情報の価値の低下を防ぐことができる。また、ユーザは、スクロールされているアイテムの概要を容易に把握して、所望するアイテムの位置に移動することができる。また、画面における残像現象が生じにくくなるため、画面が見やすくなる。また、商品説明文の残り部分の文字サイズが大きくなるため、非常に高速にスクロールしていても商品説明文の概要を読むことができる。
【００６３】
（実施形態２）
上記の実施形態１に係る表示装置１００は、画面におけるスクロールを検知すると、商品説明文の一部を削除し、残り部分の文字サイズを大きくすることにより、アイテムを容易に把握可能とする。しかし、アイテムを容易に把握可能とする方法はこれに限られない。本実施形態２において、スクロールを検知すると、商品説明文の一部を削除して残り部分の文字サイズを増加させるとともに、アイテムの商品画像をさらにスクロール方向と直交する方向に並べる例について説明する。なお、以下の説明において、実施形態１と同様の構成については、その詳細な説明を省略する。
【００６４】
図７は、実施形態２に係る表示装置１００ａの機能構成を示す概略ブロック図である。図７に示すように、表示装置１００ａは、実施形態１に係る表示装置１００の変更部１１３に代わって、変更部１１３ａとして機能する。
【００６５】
変更部１１３ａは、検知部１１２により検知されたスクロールが所定の条件を満たすと、アイテムから商品説明文の一部を削除し、アイテムの商品画像をスクロール方向と、スクロール方向と直交する方向とに並べる。ここで、所定の条件は、実施形態１と同様の条件を適用することができる。また、変更部１１３ａは、実施形態１と同様の方法により、商品説明文の一部を削除する。そして、変更部１１３ａは、商品説明文の残り部分及び商品画像を含むアイテムを、スクロール方向と、スクロール方向と直交する方向とに並べる。
【００６６】
図８（ａ）及び（ｂ）は、図５（ｂ）に示す状態の後に画面５００において検知されたスクロールが、所定の条件を満たした場合の実施形態２に係る商品リストページの表示例を示す。変更部１１３ａが、検知されたスクロールが、所定の条件を満たさないと判定した場合に、提示部１１４が、図５（ｂ）に示すように、初期状態の表示態様でｋ番目のアイテム４１０＿ｋからアイテム４１０＿ｋ＋４を画面５００に表示しているとする。なお、初期状態の表示態様では、アイテム４１０＿ｋ〜４１０＿ｋ＋４は、スクロール方向、すなわち図５（ｂ）の上下方向に並んで配置されている。そして、変更部１１３ａが、図５（ｂ）が示す状態の直後に画面５００において検知されたスクロールが、所定の条件を満たすと判定した場合、その後画面５００に出現すべきアイテム４１０＿ｋ＋５〜４１０＿Ｎの商品説明文４１２＿ｋ＋５〜４１２＿Ｎから、「［送料無料］」、「ビール」、「350ml」、「500ml」といった文言をありふれた部分として削除し、先頭から所定の文字数以降を省略するとともに、文字サイズを初期値よりも大きくする。そして、変更部１１３ａは、アイテム４１０＿ｋ＋５〜４１０＿Ｎをさらにスクロール方向と直交する方向、すなわち左右方向にも２つ並べて、アイテム４１０＿ｋ＋５〜４１０＿Ｎが縦横に配置されるように表示態様を変更する。そして、提示部１１４は、図５（ｂ）に示す状態から上にスクロールしてアイテム４１０＿ｋが画面５００から出ると、図８（ａ）に示すように、初期状態の表示態様で４１０＿ｋ＋１〜４１０ｋ＋４を画面５００に表示し、変更された表示態様でアイテム４１０＿ｋ＋５〜４１０＿ｋ＋６を画面５００に表示する。さらに提示部１１４は、図８（ａ）に示す状態から上にスクロールしてアイテム４１０＿ｋ＋１〜４１０＿ｋ＋４が画面５００から出ると、図８（ｂ）に示すように、変更された表示態様でアイテム４１０＿ｋ＋５〜４１０＿ｋ＋１４を画面５００に表示する。なお、図８（ａ）及び（ｂ）では、左右方向に２つのアイテム４１０＿１〜４１０＿Ｎが並べられているが、左右方向に並べられるアイテム４１０＿１〜４１０＿Ｎの数はこれに限られず、任意の数のアイテム４１０＿１〜４１０＿Ｎが左右方向に並べられても良い。
【００６７】
次に、本発明の実施形態２にかかる表示装置１００ａの動作について説明する。以下において説明する処理は、表示装置１００ａのハードウェア上でプログラムを実行することにより開始され、この処理によって表示装置１００ａが実現される。図９は、表示装置１００ａにより実行される表示処理の流れを表すフローチャートである。本処理は、例えば、タッチパネル部１０６が、コンテンツ提供装置２００から商品リストページのロードを指示するタッチ操作を受け付けたことを契機として開始する。
【００６８】
本処理が開始されると、表示装置１００ａは、ステップＳ２０１〜Ｓ２０４において、実施形態１と同様に図６に示す表示処理のステップＳ１０１〜Ｓ１０４を実行する。
【００６９】
スクロールが、所定の条件を満たすと判定した場合（ステップＳ２０４；Ｙｅｓ）、変更部１１３ａは、初期状態の表示態様から、商品リストページに含まれる商品説明文からありふれた部分を削除し、先頭から所定の文字数以降を省略するとともに、文字サイズを初期値から増加させ、アイテムを縦横に並べる表示態様に変更する（ステップＳ２０５）。
【００７０】
そして、提示部１１４は、ステップＳ２０５において変更された表示態様で商品リストページを表示部１０４の画面に表示する（ステップＳ２０６）。そして、ステップＳ２０３に戻って上述した処理を繰り返し実行する。
【００７１】
以上説明したように、本発明の実施形態２に係る表示装置１００ａは、画面におけるスクロールが所定の条件を満たすと、アイテムに含まれる商品説明文の一部を削除し、残り部分の文字サイズを増加させるとともに、アイテムの商品画像をさらにスクロール方向と直交する方向に並べる。そのため、実施形態１と同様に、ユーザは、スクロールされているアイテムの概要を容易に把握して、所望するアイテムの位置に移動することができる。また、画面における残像現象が生じにくくなるため、画面が見やすくなる。また、商品説明文の残り部分の文字サイズが大きくなるため、非常に高速にスクロールしていても商品説明文の概要を読むことができる。
【００７２】
（実施形態３）
上記の実施形態１に係る表示装置１００は、コンテンツ提供装置２００から図４に示すような商品画像４１１＿１〜４１１＿Ｎ及び商品説明文４１２＿１〜４１２＿Ｎの両方を有するアイテム４１０＿１〜４１０＿Ｎが含まれる商品リストページ４００を最初に取得し、検知されたスクロールが所定の条件を満たすと、予め取得された商品リストページ４００の表示態様を変更して表示する。しかし、アイテムに含まれる商品画像や商品説明文といった情報を取得するタイミングはこれに限られない。本実施形態３において、検知されたスクロールが所定の条件を満たすときにアイテムの商品説明文を取得して表示し、所定の条件を満たさないときに商品画像及び商品説明文の両方を取得、または、すでに商品説明文を取得済みの場合には商品画像を取得して表示する例について説明する。なお、以下の説明において、実施形態１と同様の構成については、その詳細な説明を省略する。
【００７３】
図１０は、実施形態３に係る表示装置１００ｂの機能構成を示す概略ブロック図である。図１０に示すように、表示装置１００ｂは、実施形態１に係る表示装置１００の受付部１１１及び変更部１１３に代わって、受付部１１１ｂ及び変更部１１３ｂとして機能する。
【００７４】
受付部１１１ｂは、変更部１１３ｂからの指示に従って、コンテンツ提供装置２００から、画面に表示すべきアイテムに含まれる商品画像及び商品説明文の両方、または商品画像及び商品説明文のいずれかを受け付ける。そして、受付部１１１ｂは、受け付けた商品画像及び商品説明文の両方、または商品画像及び商品説明文のいずれかをＲＡＭ１０３に記録する。
【００７５】
変更部１１３ｂは、検知されたスクロールが所定の条件を満たすとき、コンテンツ提供装置２００から表示すべき商品説明文を取得する。また、変更部１１３ｂは、検知されたスクロールが所定の条件を満たさないとき、コンテンツ提供装置２００から表示すべき商品画像及び商品説明文を取得する。さらに、変更部１１３ｂは、検知されたスクロールが所定の条件を満たさず、かつ表示すべき商品説明文をすでに取得し、表示すべき商品画像を取得していないとき、コンテンツ提供装置２００からその商品画像を取得する。
【００７６】
以下、変更部１１３ｂによる表示態様の変更方法について、図５（ａ）及び（ｂ）並びに図１１（ａ）〜（ｄ）を用いて具体的に説明する。例えば、受付部１１１ｂにより商品リストページ４００が受け付けられた直後であって、画面５００におけるスクロールを検知していない場合、変更部１１３ｂは、表示領域内のアイテム４１０＿１〜４１０＿５に含まれる商品画像４１１＿１〜４１１＿５及び商品説明文４１２＿１〜４１２＿５を受付部１１１ｂを介して取得し、ＲＡＭ１０３に記録する。そして、提示部１１４は、図５（ａ）に示すように、アイテム４１０＿１〜４１０＿５を初期状態の表示態様で表示する。
【００７７】
そして、図５（ａ）が表示された後、画面５００に表示されていない６番目以降のアイテム４１０＿６〜４１０＿Ｎを見るために、ユーザが、例えば、タッチパネル部１０６に対して画面５００の上方向のフリックを行うと、検知部１１２は画面５００における上方向のスクロールを検知する。そして、変更部１１３ｂが、検知されたスクロールが、所定の条件を満たさないと判定した場合、表示領域内のアイテム４１０＿ｋ〜４１０＿ｋ＋４に含まれる商品画像４１１＿ｋ〜４１１＿ｋ＋４及び商品説明文４１２＿ｋ〜４１２＿ｋ＋４を受付部１１１ｂを介して取得し、ＲＡＭ１０３に記録する。そして、提示部１１４は、図５（ｂ）に示すように、初期状態の表示態様でｋ番目のアイテム４１０＿ｋからアイテム４１０＿ｋ＋４を画面５００に表示する。
【００７８】
変更部１１３ｂが、図５（ｂ）が示す状態の直後に画面５００において検知されたスクロールが、所定の条件を満たすと判定し、図５（ｂ）に示す状態から上にスクロールしてアイテム４１０＿ｋが画面５００から出た場合、受付部１１１ｂを介してコンテンツ提供装置２００から新たに表示領域内に含まれるアイテム４１０＿ｋ＋５の商品説明文４１２＿ｋ＋５を取得し、ＲＡＭ１０３に記録する。そして、変更部１１３ｂは、実施形態１と同様に商品説明文４１２＿ｋ＋５の一部を削除して文字サイズを大きくするとともに、商品画像４１１＿ｋ＋５を削除することにより、アイテム４１０＿ｋ＋５の表示態様を変更する。そして、提示部１１４は、図１１（ａ）に示すように、初期状態の表示態様で４１０＿ｋ＋１〜４１０ｋ＋４を画面５００に表示し、変更された表示態様でアイテム４１０＿ｋ＋５を画面５００に表示する。
【００７９】
図１１（ａ）に示す状態から、検知されたスクロールが所定の条件を満たしたまま、上にスクロールして新たに表示領域内にアイテム４１０＿ｋ＋６〜４１０＿ｋ＋９が含まれると、変更部１１３ｂは、受付部１１１ｂを介してコンテンツ提供装置２００からアイテム４１０＿ｋ＋６〜４１０＿ｋ＋９の商品説明文４１２＿ｋ＋６〜４１２＿ｋ＋９を取得し、ＲＡＭ１０３に記録する。そして、変更部１１３ｂは、アイテム４１０＿ｋ＋５と同様にアイテム４１０＿ｋ＋６〜４１０＿ｋ＋９の表示態様を変更する。そして、提示部１１４は、図１１（ｂ）に示すように、変更された表示態様でアイテム４１０＿ｋ＋５〜４１０＿ｋ＋９を画面５００に表示する。
【００８０】
その後検知されたスクロールが、所定の条件を満たしたまま、図１１（ｂ）に示す状態から上にスクロールし、図１１（ｃ）に示すようにアイテム４１０＿ｍ〜４１０＿ｍ＋４が表示領域内にあるとき、変更部１１３ｂは、スクロールが検知されない、または検知されたスクロールが所定の条件を満たさないと判定すると、ＲＡＭ１０３にアイテム４１０＿ｍ〜４１０＿ｍ＋４の商品説明文４１２＿ｍ〜４１２＿ｍ＋４は記録されているが、商品画像４１１＿ｍ〜４１１＿ｍ＋４が記録されていないと判定し、受付部１１１ｂを介してコンテンツ提供装置２００からアイテム４１０＿ｍ〜４１０＿ｍ＋４の商品画像４１１＿ｍ〜４１１＿ｍ＋４を取得し、ＲＡＭ１０３に記録する。そして、変更部１１３ｂは、図１１（ｃ）に示す表示態様から、図１１（ｄ）に示す初期状態の表示態様に変更する。そして、提示部１１４は、初期状態の表示態様でアイテム４１０＿ｍ〜４１０＿ｍ＋４を画面５００に表示する。
【００８１】
その後検知されたスクロールが、所定の条件を満たさないまま、図１１（ｄ）に示す状態から下にスクロールし、過去に所定の条件を満たした状態で表示したアイテムを再表示する場合、変更部１１３ｂは、ＲＡＭ１０３に表示領域内のアイテムの商品説明文は記録されているが、商品画像が記録されていないと判定し、受付部１１１ｂを介してコンテンツ提供装置２００からそのアイテムの商品画像を取得し、ＲＡＭ１０３に記録する。そして、提示部１１４は、初期状態の表示態様で表示領域内のアイテムを画面５００に表示する。
【００８２】
次に、本発明の実施形態３に係る表示装置１００ｂの動作について説明する。以下において説明する処理は、表示装置１００ｂのハードウェア上でプログラムを実行することにより開始され、この処理によって表示装置１００ｂが実現される。図１２は、表示装置１００ｂにより実行される表示処理の流れを表すフローチャートである。本処理は、例えば、タッチパネル部１０６が、コンテンツ提供装置２００から商品リストページのロードを指示するタッチ操作を受け付けたことを契機として開始する。
【００８３】
本処理が開始されると、受付部１１１ｂは、通信部１０５を介して、コンテンツ提供装置２００から、最初に表示領域内に含まれるアイテムを含む商品リストページを受け付ける（ステップＳ３０１）。そして、受付部１１１ｂは、受け付けた商品リストページのアイテムに含まれる商品画像及び商品説明文をＲＡＭ１０３に記録する。
【００８４】
提示部１１４は、ステップＳ３０１で受け付けた商品リストページを、その初期状態の表示態様で表示部１０４に表示する（ステップＳ３０２）。
【００８５】
検知部１１２は、表示部１０４の画面におけるスクロールを検知したか否か判定する（ステップＳ３０３）。スクロールを検知していないと判定した場合（ステップＳ３０３；Ｎｏ）、表示装置１００ｂは、後述する第２表示処理を実行する（ステップＳ３０６）。
【００８６】
検知部１１２がスクロールを検知したと判定した場合（ステップＳ３０３；Ｙｅｓ）、変更部１１３ｂは、ステップＳ３０３において検知されたスクロールが、所定の条件を満たすか否かを判定する（ステップＳ３０４）。スクロールが、所定の条件を満たすと判定した場合（ステップＳ３０４；Ｙｅｓ）、表示装置１００ｂは、図１３に示す第１表示処理を実行する（ステップＳ３０５）。
【００８７】
図１３は、表示装置１００ｂにより実行される第１表示処理の流れを表すフローチャートである。本処理が開始されると、変更部１１３ｂは、現在の表示領域内に表示すべきアイテムに含まれる商品説明文がＲＡＭ１０３に記録されているか否かを判定する（ステップＳ４０１）。
【００８８】
変更部１１３ｂは、現在の表示領域内に表示すべきアイテムに含まれる商品説明文がＲＡＭ１０３に記録されていないと判定した場合（ステップＳ４０１；Ｎｏ）、受付部１１１ｂを介してコンテンツ提供装置２００から、その商品説明文を取得し、ＲＡＭ１０３に記録する（ステップＳ４０２）。
【００８９】
変更部１１３ｂは、現在の表示領域内に表示すべきアイテムに含まれる商品説明文がＲＡＭ１０３に記録されていると判定した場合（ステップＳ４０１；Ｙｅｓ）、またはステップＳ４０２の後、現在の表示領域内に表示すべきアイテムに含まれる商品説明文の表示態様を図６のステップＳ１０５と同様に変更し、商品画像を削除することにより現在の表示領域内に表示すべきアイテムの表示態様を初期状態から変更する（ステップＳ４０３）。
【００９０】
そして、提示部１１４は、ステップＳ４０３において変更された表示態様で、現在の表示領域内に表示すべきアイテムを含む商品リストページを表示部１０４の画面に表示する（ステップＳ４０４）。そして、表示装置１００ｂは、図１２のステップＳ３０３に戻って上述した処理を繰り返し実行する。
【００９１】
図１２に戻って、検知部１１２がスクロールを検知していないと判定した場合（ステップＳ３０３；Ｎｏ）、またはスクロールが、所定の条件を満たさないと判定した場合（ステップＳ３０４；Ｎｏ）、表示装置１００ｂは、第２表示処理を実行する（ステップＳ３０６）。
【００９２】
図１４は、表示装置１００ｂにより実行される第２表示処理の流れを表すフローチャートである。本処理が開始されると、変更部１１３ｂは、現在の表示領域内に表示すべきアイテムに含まれる商品説明文がＲＡＭ１０３に記録されているか否かを判定する（ステップＳ５０１）。
【００９３】
変更部１１３ｂは、現在の表示領域内に表示すべきアイテムに含まれる商品説明文がＲＡＭ１０３に記録されていないと判定した場合（ステップＳ５０１；Ｎｏ）、受付部１１１ｂを介してコンテンツ提供装置２００から、その商品説明文及び商品画像を取得し、ＲＡＭ１０３に記録する（ステップＳ５０２）。
【００９４】
変更部１１３ｂは、現在の表示領域内に表示すべきアイテムに含まれる商品説明文がＲＡＭ１０３に記録されていると判定した場合（ステップＳ５０１；Ｙｅｓ）、現在の表示領域内に表示すべきアイテムに含まれる商品画像がＲＡＭ１０３に記録されているか否かを判定する（ステップＳ５０３）。
【００９５】
変更部１１３ｂは、現在の表示領域内に表示すべきアイテムに含まれる商品画像がＲＡＭ１０３に記録されていないと判定した場合（ステップＳ５０３；Ｎｏ）、受付部１１１ｂを介してコンテンツ提供装置２００から、その商品画像を取得し、ＲＡＭ１０３に記録する（ステップＳ５０４）。
【００９６】
変更部１１３ｂは、現在の表示領域内に表示すべきアイテムに含まれる商品画像がＲＡＭ１０３に記録されていると判定した場合（ステップＳ５０３；Ｙｅｓ）、ステップＳ５０２の後、またはステップＳ５０４の後、現在の表示領域内に表示すべきアイテムの表示態様を初期状態に戻す（ステップＳ５０５）。
【００９７】
そして、提示部１１４は、初期状態の表示態様で、現在の表示領域内に表示すべきアイテムを含む商品リストページを表示部１０４の画面に表示する（ステップＳ５０６）。そして、表示装置１００ｂは、図１２のステップＳ３０３に戻って上述した処理を繰り返し実行する。
【００９８】
以上説明したように、本発明の実施形態３に係る表示装置１００ｂは、画面におけるスクロールが所定の条件を満たすと、コンテンツ提供装置２００から商品説明文を取得するとともに、商品説明文の表示態様を変更し、商品画像を削除することによりアイテムの表示態様を変更する。また、表示装置１００ｂは、画面におけるスクロールが所定の条件を満たさないとき、コンテンツ提供装置２００から商品説明文及び商品画像の両方を取得し、または商品説明文をすでに取得している場合には商品画像を取得することにより、アイテムを初期状態の表示態様で表示する。このように、表示装置１００ｂは、スクロールに応じてアイテムに含まれる表示すべき情報のみを取得し、かつ表示すべき情報のうち一部がすでに取得済みの場合には、表示すべき情報と取得済みの情報との差分を取得するため、表示装置１００ｂとコンテンツ提供装置２００との間の通信量を削減することができる。
【００９９】
以上に本発明の実施形態について説明したが、上記実施形態は一例であり、本発明の適用範囲はこれに限られない。即ち、本発明の実施形態は種々の応用が可能であり、あらゆる実施の形態が本発明の範囲に含まれる。
【０１００】
例えば、上記の実施形態１〜３において、変更部１１３，１１３ａ，１１３ｂは、商品リストページ４００に含まれるアイテム４１０＿１〜４１０＿Ｎの商品説明文４１２＿１〜４１２＿Ｎにおいて、出現頻度が所定の閾値よりも高い文言をありふれた部分として、商品説明文４１２＿１〜４１２＿Ｎから削除する。しかし、変更部１１３，１１３ａ，１１３ｂによるありふれた部分の特定方法はこれに限られない。例えば、変更部１１３，１１３ａ，１１３ｂは、商品説明文４１２＿１〜４１２＿Ｎにおいて、出現頻度が所定の閾値よりも低い部分であって、検索エンジン等でも発見頻度が所定の閾値よりも低い部分を残し、その他の部分をありふれた部分として削除してもよい。
【０１０１】
また、実施形態１〜３において、変更部１１３，１１３ａ，１１３ｂは、アイテム４１０＿１〜４１０＿Ｎのスクロール方向の幅、すなわち上下方向の幅を変更していないが、幅が小さくなるように変更してもよい。
【０１０２】
また、実施形態２において、変更部１１３ａは、実施形態１と同様に商品説明文４１２＿１〜４１２＿Ｎの一部を削除するが、商品説明文４１２＿１〜４１２＿Ｎの全部を削除し、商品画像４１１＿１〜４１１＿Ｎのみが表示される表示態様としてもよい。
【０１０３】
図１５（ａ）及び（ｂ）に商品画像のみが表示される商品リストページの表示例を示す。変更部１１３ａが、検知されたスクロールが、所定の条件を満たさないと判定した場合に、提示部１１４が、図５（ｂ）に示すように、初期状態の表示態様でｋ番目のアイテム４１０＿ｋからアイテム４１０＿ｋ＋４を画面５００に表示しているとする。そして、変更部１１３ａが、図５（ｂ）が示す状態の後に画面５００において検知されたスクロールが、所定の条件を満たすと判定した場合、アイテム４１０＿ｋ＋５〜４１０＿Ｎから、その後画面５００に出現すべきアイテム４１０＿ｋ＋５〜４１０＿Ｎの商品説明文４１２＿ｋ＋５〜４１２＿Ｎを削除する。そして、変更部１１３ａは、アイテム４１０＿ｋ＋５〜４１０＿Ｎをさらにスクロール方向と直交する方向、すなわち左右方向にも４つ並べて、アイテム４１０＿ｋ＋５〜４１０＿Ｎが縦横に配置されるように表示態様を変更する。そして、提示部１１４は、図５（ｂ）に示す状態から上にスクロールしてアイテム４１０＿ｋが画面５００から出ると、図１５（ａ）に示すように、初期状態の表示態様で４１０＿ｋ＋１〜４１０ｋ＋４を画面５００に表示し、変更された表示態様で商品画像のみを含むアイテム４１０＿ｋ＋５〜４１０＿ｋ＋８を画面５００に表示する。さらに提示部１１４は、図１５（ａ）に示す状態から上にスクロールしてアイテム４１０＿ｋ＋１〜４１０＿ｋ＋４が画面５００から出ると、図１５（ｂ）に示すように、変更された表示態様でアイテム４１０＿ｋ＋５〜４１０＿ｋ＋２４を画面５００に表示する。なお、図１５（ａ）及び（ｂ）では、左右方向に４つのアイテム４１０＿１〜４１０＿Ｎが並べられているが、左右方向に並べられるアイテム４１０＿１〜４１０＿Ｎの数はこれに限られず、任意の数のアイテム４１０＿１〜４１０＿Ｎが左右方向に並べられても良い。このように、商品画像のみを並べることで、文字が読みづらいほど非常に高速にスクロールしている場合であっても、アイテムを容易に把握することができる。
【０１０４】
また、実施形態２及び上記の変形例において、変更部１１３ａは、アイテム４１０＿１〜４１０＿Ｎに含まれる商品画像４１１＿１〜４１１＿Ｎの大きさを変更していないが、商品画像の大きさを小さくしても良い。
【０１０５】
また、上記の実施形態１〜３において、変更部１１３，１１３ａ，１１３ｂは、スクロールを検知しなくなると、初期状態の表示態様に戻す。しかし、変更部１１３，１１３ａ，１１３ｂが初期状態の表示態様に戻す条件はこれに限られない。例えば、変更部１１３，１１３ａ，１１３ｂは、タッチパネル部１０６がスクロールを一瞬で止める操作を受け付けたときに、初期状態の表示態様に戻してもよい。具体的には、提示部１１４は、例えば、フリック後に慣性スクロールによりスクロールが継続しているときに、画面をタップするタッチ操作をタッチパネル部１０６が受け付けると、スクロールを一瞬で止める。そして、変更部１１３，１１３ａ，１１３ｂは、検知部１１２により検知されたスクロールの速度が所定の期間中に所定の速度からゼロに達したとき、タッチパネル部１０６がスクロールを一瞬で止める操作を受け付けたと判定し、初期状態の表示態様に戻すことができる。
【０１０６】
また、上記の実施形態１〜３において、変更部１１３，１１３ａ，１１３ｂは、検知部１１２により検知されたスクロールの速度が閾値より小さくなったとき、その後画面５００に表示すべきアイテム４１０＿１〜４１０＿Ｎの表示態様を、変更前の表示態様に戻し、画面５００に現在表示中のアイテム４１０＿１〜４１０＿Ｎの表示態様を、画面５００から出るまで維持してもよい。
【０１０７】
図１６に、検知部１１２により検知されたスクロールの速度が閾値より小さくなったときの商品リストページの表示例を示す。変更部１１３が、検知されたスクロールが、所定の条件を満たしたと判定した場合に、提示部１１４が、図５（ｄ）に示すように、変更後の表示態様でｋ＋５番目のアイテム４１０＿ｋ＋５からアイテム４１０＿ｋ＋９を画面５００に表示しているとする。そして、変更部１１３は、図５（ｄ）が示す状態の直後に検知されたスクロールの速度が閾値より小さくなったとき、図５（ｄ）が示す状態において表示されているアイテム４１０＿ｋ＋５〜４１０＿ｋ＋９については、画面５００から出るまで変更後の表示態様を維持し、これから表示すべきアイテム４１０＿ｋ＋１０〜４１０＿Ｎの表示態様を初期状態の表示態様に戻す。そして、提示部１１４は、図１６に示すように、図５（ｄ）に示す状態から上にスクロールしてアイテム４１０＿ｋ＋５が画面５００から出ると、アイテム４１０＿ｋ＋６〜４１０＿ｋ＋９を変更後の表示態様で表示し、新たに表示したアイテム４１０＿ｋ＋１０を初期状態の表示態様で表示する。
【０１０８】
また、上記の実施形態１〜３において、変更部１１３，１１３ａ，１１３ｂは、検知されたスクロールが、所定の条件を満たすと判定した場合、アイテムのうち、その後画面５００に表示すべきアイテム４１０＿ｋ＋５〜４１０＿Ｎの表示態様を変更し、画面５００に現在表示中のアイテム４１０＿ｋ〜４１０＿ｋ＋４の表示態様を、画面５００から出るまで維持する。しかし、変更部１１３，１１３ａは、検知されたスクロールが、所定の条件を満たすと判定した場合、その後画面５００に表示すべきアイテム４１０＿ｋ＋５〜４１０＿Ｎだけでなく、画面５００に現在表示中のアイテム４１０＿ｋ〜４１０＿ｋ＋４の表示態様も変更してもよい。
【０１０９】
図１７（ａ）及び（ｂ）に、画面５００に現在表示中のアイテム４１０＿ｋ＋５〜４１０＿Ｎの表示態様が変化する場合の商品リストページの表示例を示す。変更部１１３，１１３ａが、検知されたスクロールが、所定の条件を満たさないと判定した場合に、提示部１１４が、図５（ｂ）に示すように、初期状態の表示態様でｋ番目のアイテム４１０＿ｋからアイテム４１０＿ｋ＋４を画面５００に表示しているとする。そして、変更部１１３，１１３ａが、図５（ｂ）が示す状態の後に画面５００において検知されたスクロールが、所定の条件を満たすと判定した場合、現在表示中のアイテム４１０＿ｋ〜４１０＿ｋ＋４と、その後画面５００に表示すべきアイテム４１０＿ｋ＋５〜４１０＿Ｎとの表示態様を実施形態１または実施形態２と同様に変更する。そして、変更部１１３が実施形態１と同様にアイテム４１０＿ｋ〜４１０＿Ｎの表示態様を変更した場合、提示部１１４は、図１７（ａ）に示すように、変更された表示態様でアイテム４１０＿ｋ〜４１０＿ｋ＋４を画面５００に表示する。また、変更部１１３ａが実施形態２と同様にアイテム４１０＿ｋ〜４１０＿Ｎの表示態様を変更した場合、提示部１１４は、図１７（ｂ）に示すように、変更された表示態様でアイテム４１０＿ｋ〜４１０＿ｋ＋９を画面５００に表示する。
【０１１０】
また、上記の実施形態１〜３において、変更部１１３，１１３ａ，１１３ｂは、検知されたスクロールが、所定の条件を満たすと判定した場合、商品説明文の一部又は全部を削除し、アイテムに画像を追加することにより、アイテムの表示態様を変更してもよい。
【０１１１】
図１８（ａ）及び（ｂ）に、商品説明文の一部を削除し、アイテムに画像を追加することにより、アイテムの表示態様を変更する場合の商品リストページの表示例を示す。変更部１１３が、検知されたスクロールが、所定の条件を満たさないと判定した場合に、提示部１１４が、図５（ｂ）に示すように、初期状態の表示態様でｋ番目のアイテム４１０＿ｋからアイテム４１０＿ｋ＋４を画面５００に表示しているとする。そして、変更部１１３が、図５（ｂ）が示す状態の後に画面５００において検知されたスクロールが、所定の条件を満たすと判定した場合、その後画面５００に出現すべきアイテム４１０＿ｋ＋５〜４１０＿Ｎの商品説明文４１２＿ｋ＋５〜４１２＿Ｎから、「［送料無料］」、「ビール」、「350ml」、「500ml」といった文言をありふれた部分として削除し、先頭から所定の文字数以降を省略するとともに、文字サイズを初期値よりも大きくすることにより、商品説明文４１２＿ｋ＋５〜４１２＿Ｎの表示態様を変更する。さらに、変更部１１３は、その後画面５００に出現すべきアイテム４１０＿ｋ＋５〜４１０＿Ｎの商品画像４１１＿ｋ＋５〜４１１＿Ｎと異なる商品画像４１４＿ｋ＋５〜４１４＿Ｎを例えばコンテンツ提供装置２００から取得し、アイテム４１０＿ｋ＋５〜４１０＿Ｎに追加することにより、アイテム４１０＿ｋ＋５〜４１０＿Ｎの表示態様を変更する。そして、提示部１１４は、図５（ｂ）に示す状態から上にスクロールしてアイテム４１０＿ｋが画面５００から出ると、図１８（ａ）に示すように、初期状態の表示態様で４１０＿ｋ＋１〜４１０ｋ＋４を画面５００に表示し、変更された表示態様でアイテム４１０＿ｋ＋５を画面５００に表示する。さらに提示部１１４は、図１８（ａ）に示す状態から上にスクロールしてアイテム４１０＿ｋ＋１〜４１０＿ｋ＋４が画面５００から出ると、図１８（ｂ）に示すように、変更された表示態様でアイテム４１０＿ｋ＋５〜４１０＿ｋ＋９を画面５００に表示する。
【０１１２】
上記の図１８（ａ）及び（ｂ）に示す例では、変更部１１３は、商品説明文の一部を削除し、アイテムに画像を追加することにより、アイテムの表示態様を変更したが、商品説明文の全部を削除し、商品画像を追加することによりアイテムの表示態様を変更してもよい。また、アイテムに追加する商品画像は１つに限られず、任意の個数の商品画像を追加することができる。また、実施形態２に係る変更部１１３ａが、商品説明文の一部又は全部を削除し、アイテムに画像を追加した後のアイテムを、スクロール方向と、スクロール方向と直交する方向とに並べることにより、アイテムの表示態様を変更してもよい。このように、商品説明文の一部又は全部を削除し、商品画像を追加することにより、商品説明文の削除された部分によって低下した情報量を、商品画像により補うことができる。
【０１１３】
また、上記の実施形態１〜３において、ユーザからスクロールを指示する操作を受け付ける操作部として、タッチパネル部１０６を用いる例について説明したが、操作部はこれに限られず、ボタン、キーボード等の入力装置から構成されてもよい。
【０１１４】
また、上記の実施形態１〜３において、検知部１１２が、提示部１１４により表示部１０４の画面に表示されているコンテンツの表示領域が移動したとき、画面におけるコンテンツのスクロールを検知する例について説明したが、画面におけるスクロールを検知する方法は、これに限られない。例えば、検知部１１２は、タッチパネル部１０６により受け付けられたタッチ操作に基づいて、スクロールを検知してもよい。具体的には、検知部１１２は、タッチパネル部１０６がタッチ操作として、画面におけるスクロール可能な方向へのフリックまたはスライドを受け付けたと判定した場合、スクロールを検知したと判定する。また、提示部１１４が、慣性スクロールにより、コンテンツをスクロール可能な場合、検知部１１２は、タッチパネル部１０６がフリックを受け付けた後、次のタッチ操作を受け付けるまで、フリックの速度と摩擦係数とに基づいて、スクロールの速度を算出し、算出されたスクロールの速度が０で無い場合、スクロールを検知したと判定してもよい。
【０１１５】
また、上記の実施形態１〜３において、変更部１１３，１１３ａ，１１３ｂが、コンテンツの表示領域の座標位置の変化量を検出し、単位時間当たりの座標位置の変化量を算出することでスクロールの速度を検出する例について説明したが、スクロールの速度の検出方法はこれに限られない。例えば、変更部１１３，１１３ａ，１１３ｂは、タッチパネル部１０６により受け付けられたタッチ操作に基づいて、スクロール速度を検出してもよい。具体的には、変更部１１３，１１３ａ，１１３ｂは、タッチパネル部１０６に受け付けられたフリックの速度や距離等によりスクロールの速度を算出することができる。また、提示部１１４が、慣性スクロールにより、コンテンツをスクロール可能な場合、検知部１１２は、タッチパネル部１０６がフリックを受け付けた後、次のタッチ操作を受け付けるまで、フリックの速度と摩擦係数とに基づいて、スクロールの速度を算出してもよい。
【０１１６】
なお、上記の実施形態３において、スクロールが所定の条件を満たすときにアイテムの商品説明文を取得し、スクロールが所定の条件を満たさないとき、コンテンツ提供装置２００から商品説明文及び商品画像を取得し、または商品説明文をすでに取得している場合には商品画像を取得する例について説明した。しかし、表示装置１００ｂがスクロールに応じて取得するアイテムの情報はこれに限られない。表示装置１００ｂは、スクロールが所定の条件を満たすときにアイテムに含まれる情報のうち、表示すべき一部を取得し、スクロールが所定の条件を満たさず、かつ情報の一部を取得していないとき、情報の全部を取得し、スクロールが所定の条件を満たさず、かつ情報の一部をすでに取得し、情報の全部を取得していないとき、情報の一部を除く情報の残り部分を取得すればよい。
【０１１７】
例えば、表示装置１００ｂは、スクロールが所定の条件を満たすときにアイテムに含まれる情報のうち、商品画像を取得して表示し、スクロールが所定の条件を満たさず、かつ商品画像を取得していないとき、商品画像及び商品説明文を取得し、スクロールが所定の条件を満たさず、かつ商品画像をすでに取得し、商品説明文を取得していないとき、商品説明文を取得してもよい。
【０１１８】
また、例えば、コンテンツ提供装置２００が、アイテムの商品説明文の他に、その商品説明文の一部を除いたもの、例えば簡易な商品説明文を予め保持する場合、表示装置１００ｂは、スクロールが所定の条件を満たすときに、アイテムの情報の一部として、コンテンツ提供装置２００から商品画像と簡易な商品説明文とを取得して表示してもよい。また、スクロールが所定の条件を満たさず、かつ商品画像及び簡易な商品説明文を未取得の場合には商品画像と商品説明文とを取得し、スクロールが所定の条件を満たさず、かつ商品画像及び簡易な商品説明文を取得済みの場合には、商品説明文を取得してもよい。
【０１１９】
また、上記の実施形態１〜３において、表示装置１００，１００ａ，１００ｂは、コンテンツ提供装置２００からインターネット３００を介してコンテンツを受け付ける例について説明したが、表示装置１００，１００ａ，１００ｂは、表示すべきコンテンツを予めＲＯＭ等に記憶していてもよい。
【０１２０】
なお、本発明に係る表示装置１００，１００ａ，１００ｂは、上記の機能を実現するための構成を予め備えて提供されることも可能な他、プログラムの適用により、既存のパーソナルコンピュータや情報端末機器等を、本発明に係る表示装置１００，１００ａ，１００ｂとして機能させることもできる。即ち、上記実施形態で例示した表示装置１００，１００ａ，１００ｂによる各機能構成を実現させるためのプログラムを、既存のパーソナルコンピュータや情報端末機器を制御するＣＰＵ等が実行できるように、既存のパーソナルコンピュータや情報端末機器に適用することで、そのパーソナルコンピュータや情報端末機器を本発明に係る表示装置１００，１００ａ，１００ｂとして機能させることができる。また、本発明に係る表示方法は、表示装置１００，１００ａ，１００ｂを用いて実施できる。
【０１２１】
また、このようなプログラムは、上記に限られず、任意の方法で適用可能である。プログラムを、例えば、コンピュータが読取可能な記録媒体［ＣＤ−ＲＯＭ（Compact Disc Read-Only Memory）、ＤＶＤ（Digital Versatile Disc）、ＭＯ（Magneto Optical disc）等］に格納して適用できる他、インターネット等のネットワーク上のストレージにプログラムを格納しておき、これをダウンロードさせることにより適用することもできる。
【符号の説明】
【０１２２】
１      表示システム
１００，１００ａ，１００ｂ  表示装置
１０１  制御部
１０２  ＲＯＭ
１０３  ＲＡＭ
１０４  表示部
１０５  通信部
１０６  タッチパネル部
１０７  バス
１１１，１１１ｂ  受付部
１１２  検知部
１１３，１１３ａ，１１３ｂ  変更部
１１４  提示部
２００  コンテンツ提供装置
３００  インターネット
４００  商品リストページ
４１０＿１〜４１０＿Ｎ  アイテム
４１１＿１〜４１１＿Ｎ，４１４＿１〜４１４＿Ｎ  商品画像
４１２＿１〜４１２＿Ｎ  商品説明文
５００  画面
【図１】
2018205672.tif 000003
【図２】
2018205672.tif 000004
【図３】
2018205672.tif 000005
【図４】
2018205672.tif 000006
【図５】
2018205672.tif 000007
【図６】
2018205672.tif 000008
【図７】
2018205672.tif 000009
【図８】
2018205672.tif 000010
【図９】
2018205672.tif 000011
【図１０】
2018205672.tif 000012
【図１１】
2018205672.tif 000013
【図１２】
2018205672.tif 000014
【図１３】
2018205672.tif 000015
【図１４】
2018205672.tif 000016
【図１５】
2018205672.tif 000017
【図１６】
2018205672.tif 000018
【図１７】
2018205672.tif 000019
【図１８】
2018205672.tif 000020
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
所定の順序で並べられた、説明文を含むアイテムを、画面にスクロール可能に表示する表示装置であって、
前記画面におけるスクロールを検知する検知部と、
前記検知されたスクロールが所定の条件を満たすと、前記説明文のうち、他の前記アイテムに含まれる説明文に出現する頻度が閾値よりも高い部分を削除することにより、前記アイテムの表示態様を変更する変更部と、
を備える表示装置。
【請求項２】
前記変更部は、前記アイテムに画像を追加することにより、前記アイテムの表示態様を変更する、
請求項１に記載の表示装置。
【請求項３】
前記アイテムは、さらに画像を含み、
前記変更部は、前記アイテムをスクロール方向と、当該スクロール方向と直交する方向とに並べることにより、前記アイテムの表示態様を変更する、
請求項１に記載の表示装置。
【請求項４】
前記変更部は、
前記アイテムから前記説明文の一部を削除する場合、前記アイテムを前記スクロール方向と直交する方向に第１の所定の個数並べ、
前記アイテムから前記説明文の全部を削除する場合、前記アイテムを前記スクロール方向と直交する方向に、前記第１の所定の個数よりも大きい第２の所定の個数並べる、
請求項３に記載の表示装置。
【請求項５】
前記変更部は、前記説明文の残り部分の文字サイズを増加させることにより、前記アイテムの表示態様を変更する、
請求項１から３のいずれか１項に記載の表示装置。
【請求項６】
前記変更部は、前記検知されたスクロールが所定の条件を満たすと、その後前記画面に表示すべき前記アイテムの表示態様を変更し、前記画面に現在表示中のアイテムの表示態様を、前記画面から出るまで維持する、
請求項１から３のいずれか１項に記載の表示装置。
【請求項７】
前記変更部は、前記検知されたスクロールの速度が所定の期間中に所定の速度からゼロに達したとき、前記画面に現在表示中の前記アイテムの表示態様を変更前の表示態様に戻す、
請求項１から３のいずれか１項に記載の表示装置。
【請求項８】
前記変更部は、前記検知されたスクロールの速度が閾値より小さくなったとき、その後前記画面に表示すべき前記アイテムの表示態様を、変更前の表示態様に戻し、前記画面に現在表示中のアイテムの表示態様を、前記画面から出るまで維持する、
請求項１から３のいずれか１項に記載の表示装置。
【請求項９】
前記変更部は、
前記検知されたスクロールが前記所定の条件を満たすとき、前記アイテムに含まれる情報のうち、表示すべき当該情報の一部を取得し、
前記検知されたスクロールが前記所定の条件を満たさず、かつ前記情報の一部を取得していないとき、前記情報の全部を取得し、
前記検知されたスクロールが前記所定の条件を満たさず、かつ前記情報の一部をすでに取得し、前記情報の全部を取得していないとき、前記情報の一部を除く前記情報の残り部分を取得する、
請求項１から３のいずれか１項に記載の表示装置。
【請求項１０】
所定の順序で並べられた、説明文を含むアイテムを、画面にスクロール可能に表示する表示装置が実行する表示方法であって、
前記表示装置が、前記画面におけるスクロールを検知する検知ステップと、
前記表示装置が、前記検知されたスクロールが所定の条件を満たすと、前記説明文のうち、他の前記アイテムに含まれる説明文に出現する頻度が閾値よりも高い部分を削除することにより、前記アイテムの表示態様を変更する変更ステップと、
を備える表示方法。
【請求項１１】
所定の順序で並べられた、説明文を含むアイテムを、画面にスクロール可能に表示するコンピュータを、
前記画面におけるスクロールを検知する検知手段、
前記検知されたスクロールが所定の条件を満たすと、前記説明文のうち、他の前記アイテムに含まれる説明文に出現する頻度が閾値よりも高い部分を削除することにより、前記アイテムの表示態様を変更する変更手段、
として機能させるプログラム。